【事件の表示】
　特許第３３１６４７８号「浴室の壁パネル」の請求項１、２に係る特許に対する特許異議の申立てについて、次のとおり決定する。
【結　論】
　訂正を認める。
　特許第３３１６４７８号の請求項１および２に係る特許を維持する。
【理　由】
１．手続の経緯
　本件特許第３３１６４７８号に係る出願は、平成１１年７月２６日の出願であって、平成１４年６月７日に特許の設定登録がなされ、その後、海野ひろみと飯野節子から特許異議の申立がなされ、取消理由が通知され、その指定期間内である平成１５年７月１日に訂正請求がなされたものである。
　
２．訂正の要旨
　訂正事項ａ：特許請求の範囲の請求項１を、下記のように訂正する。
　浴室の壁面を形成する壁パネルであって、前記壁パネルを、少なくとも下地材と、押出成形によって形成され前記下地材の表面側に固着された複数色の板状の樹脂層及び該樹脂層の表面に前記押出成形と同時に熱溶着することによって形成されたフィルムからなる表面材とで形成すると共に、前記表面材にその底面が二層目以下の樹脂層内に位置して下地材まで達しない所定深さの逆台形状の凹部を前記フィルムから前記樹脂層にかけて形成したことを特徴とする浴室の壁パネル。
　訂正事項ｂ：特許請求の範囲の請求項２を、下記のように訂正する。
　前記樹脂層をＡＢＳ樹脂によって形成し前記フィルムをアクリルによって形成すると共に、前記凹部が後加工によって形成されることを特徴とする請求項１記載の浴室の壁パネル。
　訂正事項ｃ：明細書の段落【０００６】を、下記のように訂正する。
　【課題を解決するための手段】
　かかる目的を達成すべく、本発明のうち請求項１記載の発明は、浴室の壁面を形成する壁パネルであって、壁パネルを、少なくとも下地材と、押出成形によって形成され前記下地材の表面側に固着された複数色の板状の樹脂層及び該樹脂層の表面に前記押出成形と同時に熱溶着することによって形成されたフィルムからなる表面材とで形成すると共に、前記表面材にその底面が二層目以下の樹脂層内に位置して下地材まで達しない所定深さの逆台形状の凹部を前記フィルムから前記樹脂層にかけて形成したことを特徴とする。また、請求項２記載の発明は、前記樹脂層をＡＢＳ樹脂によって形成し前記フィルムをアクリルによって形成すると共に、前記凹部が後加工によって形成されることを特徴とする。
　訂正事項ｄ：明細書の段落【０００７】の「複数色の樹脂層」を、「複数色の樹脂層とフィルム」と訂正する。
　訂正事項ｅ：明細書の段落【００１３】の「ＡＢＳ等の樹脂」を「ＡＢＳ樹脂」と、「アクリル等のフィルム」を「アクリルからなるフィルム」と訂正する。
　訂正事項ｆ：明細書の段落【００１９】の「材質、板厚、下地材と表面材の固着方法等」を、「板厚等」と訂正する。
　訂正事項ｇ：明細書の段落【００２０】の「複数色の樹脂層で形成された」を、「複数色の樹脂層とフィルムで形成された」と訂正する。
　
３．訂正の適否
（１）訂正の目的の適否、新規事項の有無及び拡張・変更の存否
　上記訂正事項ａ、ｂに係る訂正は、特許請求の範囲の減縮を目的とするものであって、願書に添付した明細書又は図面に記載した事項の範囲内のものであり、さらに、実質上特許請求の範囲を拡張し、又は変更するものではない。
　また、訂正事項ｃ〜ｇに係る訂正は、訂正事項ａ、ｂに関連してなされた明りょうでない記載の釈明に該当し、いずれも、願書に添付した明細書又は図面に記載した事項の範囲内のものであり、さらに、実質上特許請求の範囲を拡張し、又は変更するものではない。
　したがって、上記訂正は、特許法第１２０条の４第２項および同条第３項で準用する特許法第１２６条第２項および第３項の規定に適合するので、当該訂正を認める。
　
４．異議の申立てについての判断
（１）本件訂正後発明
　訂正明細書の請求項１及び２に係る発明（以下、「訂正後発明１」及び「訂正後発明２」という。）は、訂正明細書の特許請求の範囲の請求項１及び２に記載された事項により特定されるとおりのものである。（上記２．訂正事項ａ及び訂正事項ｂ参照）
（２）申立ての理由の概要
　申立人海野ひろみは、証拠として甲第１号証〜甲第３号証を提出して、本件請求項１及び２に係る特許発明は、甲第１号証及び甲第２号証もしくは甲第３号証に記載された発明に基づいて、当業者が容易に発明をすることができたものであるから、特許法第２９条第２項の規定により特許を受けることができないものであり、本件の特許を取り消すべきであると主張している。
　また、申立人飯野節子は、証拠として甲第１号証及び甲第２号証を提出して、本件請求項１及び２係る特許発明は、甲第１号証に記載されており、特許法第２９条第１項第３号の規定により、また、甲第１号証及び甲第２号証に記載された発明に基づいて、当業者が容易に発明をすることができたものであるから、特許法第２９条第２項の規定により特許を受けることができないものであり、本件の特許を取り消すべきであると主張している。
（３）特許法第２９条第１項第３号及び同法第２９条第２項に関して
（３−１）甲各号証記載の発明
　申立人海野ひろみの提出した甲第１号証（取消理由で引用された刊行物１）である、特開昭６２−９７６７２号公報（以下、刊行物１という。）には、２頁右上欄１３行〜同左下欄９行に「型表面に離型剤を塗布し、その上に透明樹脂２を塗布した後、有色樹脂により、・・・有色樹脂層３（模様層）を形成し、更に透明樹脂３（２の誤記と認める）を塗布して表面化粧樹脂層１を形成する。表面化粧層１硬化後に有色不透明樹脂４を塗布して硬化させ、補強基材層５を積層する。・・・上記積層板を脱型後、第２図に示す形状にて有色不透明層４に達する一定の深さで切削して凹部溝６を形成して、有色不透明樹脂層を露出させる。」、同右下欄４〜１４行に「本発明は上記構成よりなるので下記の効果を奏するものである。１）表面化粧層を切削することにより、有望の色相を有する凹部溝がえられるので作業が極めて容易になると共に安価に供給できるようになった。２）有色不透明樹脂のはみ出しがなく精密な模様が得られるようになった。３）明瞭な溝形状が得られるようになった。４）裏面補強基材層が切削されないため、強度劣化がなく、安価な建材が得られた。」、第２図には、その底面が有色不透明層４に達し補強基材層５まで達しない逆台形状の凹部溝を形成することが記載されており、これらの記載を参照すると、刊行物１には、「積層板を、裏面補強基材層と、該裏面補強基材層の表面側に積層された有色不透明樹脂４、有色樹脂層３（模様層）および透明樹脂２からなる層を型によって形成すると共に、脱型後、前記層にその底面が有色不透明層４に達し補強基材層５まで達しない深さの逆台形状の凹部溝を形成した積層板からなる建材」という発明が記載されていると認められる。
　申立人海野ひろみの提出した甲第２号証である、 特開平２−２２３４４９号公報（以下、刊行物２という。）には、３頁右下欄２行〜４頁右下欄６行及び第１〜４図の記載を参照すると、「型上に載置した表面樹脂上にローラの押圧により模様を転写するとともに延伸し、その上に、透明樹脂層及び有色不透明樹脂層をハケロールで塗布し、さらに、その上に、樹脂補強層を流し込み積層して製造された高級バスユニット壁材」が記載されていると認められる。
　申立人海野ひろみの提出した甲第３号証（取消理由で引用された周知例）である、特開平４−１９１０４７号公報（以下、刊行物３という。）には、１頁左下欄１９行〜同右上欄２行、３頁左上欄１行〜同右上欄１９行及び第１〜６図の記載を参照すると、模様付き浴室ユニットなどの壁材として好適な模様付き壁材の製造法およびこの製造法により得られる模様付き壁材に関し、表面側から順に、表面樹脂層、模様層、透明又は半透明の樹脂層、着色樹脂層及び基材の積層構造のものが記載されていると認められる。
　申立人飯野節子の提出した甲第１号証である、実願平４−８３６１７号（実開平６−４３１２８号）のＣＤ−ＲＯＭ（以下、刊行物４という。）には、段落【０００７】、【００１０】、【００１６】及び図１，２の記載を参照すると、建築物の壁仕上げ面を形成する成形板であって、色調の異なる表層部と内層部の樹脂層を備え、内層部に達する逆台形状の溝が表層部に形成された成形板であって、目地部に亀裂が生ぜず、立体感が得られることが記載されていると認められる。
　申立人飯野節子の提出した甲第２号証（取消理由で引用された周知例）である、特開平９−２１６３０６号公報（以下、刊行物５という。）には、段落【００２３】、【００２４】及び図１，２の記載を参照すると、鋼板と、鋼板の表面側に積層して接着させた、黒色の第１フィルムと白色の第２フィルムとを加熱溶着させた２層構造の樹脂フィルムとで形成し、樹脂フィルムに第２フィルムに達し且つ鋼板まで達しない深さの凹部を形成した浴室ユニットの壁パネルが記載されていると認められる。
（３−２）対比・判断　
　訂正後発明１と、刊行物１記載の発明とを比較すると、刊行物１記載の発明の「裏面補強基材層」、「積層された」、「有色不透明樹脂４、有色樹脂層３（模様層）および透明樹脂２からなる層」、「有色不透明層４に達し補強基材層５まで達しない深さ」、「凹部溝」は、それぞれ、訂正後発明１の「下地材」、「固着された」、「複数色の樹脂層からなる表面材」、「二層目以下の樹脂層内に位置して下地材まで達しない所定深さ」、「凹部」に相当し、刊行物１に記載された発明の「積層板からなる建材」と、訂正後発明１の「浴室の壁パネル」とは、共に、「建材パネル」で共通するから、両者は、建材パネルであって、前記建材パネルを、下地材と該下地材の表面側に固着された複数色の樹脂層からなる表面材とで形成すると共に、前記表面材にその底面が二層目以下の樹脂層内に位置して下地材まで達しない所定深さの逆台形状の凹部を形成したパネルの点で一致し、下記の点で相違している。
　相違点１：建材パネルが、訂正後発明１では、浴室の壁面を形成する壁パネルであるのに対し、刊行物１に記載された発明では、用途が明記されていない点。
　相違点２：訂正後発明１では、表面材が、押出成形によって形成された複数色の板状の樹脂層及び該樹脂層の表面に前記押出成形と同時に熱溶着することによって形成されたフィルムからなり、凹部を前記フィルムから前記樹脂層にかけて形成したのに対し、刊行物１に記載された発明では、複数色の樹脂層が押出成形によって形成された板状であるとの構成及び該樹脂層の押出成形と同時にその表面に熱溶着することによって形成されたフィルムはなく、したがって、凹部を前記フィルムから前記樹脂層にかけて形成したという構成も有していない点。
  相違点１について検討すると、下地材と該下地材の表面側に固着された複数色の樹脂層からなる表面材とで形成する浴室の壁面を形成する壁パネルは、上記刊行物３，５に記載されているように周知技術にすぎない。
　また、相違点２について検討すると、押出成形によって板状の樹脂層を形成することは、例をあげるまでもなく周知技術にすぎないが、樹脂層及び該樹脂層の表面に押出成形と同時に熱溶着することによって形成されたフィルムからなる表面材及び凹部を前記フィルムから前記樹脂層にかけて形成した点は、上記刊行物２ないし５のいずれにも記載されておらず、かつ、周知技術でも自明な事項でもない。そして、訂正後発明１は、当該事項によって明細書記載の作用効果を奏するものである。
　したがって、訂正後発明１は、刊行物４に記載された発明と同一であるとはいえないし、また、刊行物１ないし５に記載された発明に基づいて、当業者が容易に発明をすることができたものであるともいえない。
　また、訂正後発明２は、訂正後発明１を引用し、さらに限定事項を付加したものであり、上記訂正後発明１での検討したと同様のことがいえるから、訂正後発明２は、刊行物４に記載された発明と同一であるとはいえないし、また、刊行物１ないし５に記載された発明に基づいて、当業者が容易に発明をすることができたものであるともいえない。
　
５．むすび
　以上のとおりであるから、異議申立ての理由及び証拠によっては、本件訂正後発明１及び２の特許を取り消すことはできない。
　また、他に本件訂正後発明１及び２の特許を取り消すべき理由を発見しない。
　よって、結論のとおり決定する。
【異議決定日】
平成１５年１１月１１日（２００３．１１．１１）
【訂正の要旨】
審決（決定）の【理由】欄参照。
（５４）【発明の名称】
浴室の壁パネル
（５７）【特許請求の範囲】
　【請求項１】
　浴室の壁面を形成する壁パネルであって、前記壁パネルを、少なくとも下地材と
、押出成形によって形成され前記下地材の表面側に固着された複数色の板状の樹脂層及び該樹脂層の表面に前記押出成形と同時に熱溶着することによって形成されたフィルムからなる表面材
凹部を前記フィルムから前記樹脂層にかけて形成し
　【請求項２】
　
前記樹脂層をＡＢＳ樹脂によって形成し前記フィルムをアクリルによって形成すると共に、前記凹部が後加工
【発明の詳細な説明】
　【０００１】
　【発明の属する技術分野】
　本発明は、例えばシステムバスユニット等の浴室の壁面を形成する壁パネルに関する。
　【０００２】
　【従来の技術】
　従来、図３に示すように、浴室の壁パネル５１は、例えば下地材としての合板５２の表面５２ａに、表面材としての複数の表面化粧板５３が、互いに所定の目地５４を有して接着固定されると共に、目地５４にシリコン５５が塗布されている。そして、このシリコン５５によって、表面化粧板５３の接合部分、すなわち目地５４からの水（水滴や水分）の合板５２内への浸入（浸透）が防止されている。
　【０００３】
　【発明が解決しようとする課題】
　しかしながら、この壁パネル５１においては、目地５４に塗布されるシリコン５５が、壁パネル５１の表面側に直接露出する状態となるため、シリコン５５に水が付着し易く、目地５４部分に汚れが発生したり黴が発生する場合があり、壁パネル５１の目地５４部分を長期に亘り清潔な状態に維持することが難しいという問題点があった。
　【０００４】
　また、目地５４に塗布されるシリコン５５に、合板５２への水の浸入を防止する止水機能を持たせているが、合板５２と表面化粧板５３の熱膨張率が異なるため、この熱膨張率の違いによりシリコン５５部分にひび割れ等の目地切れが発生する場合があり、目地５４部分に長期に亘り安定した止水機能を確保することが難しいという問題点があった。
　【０００５】
　本発明は、このような事情に鑑みてなされたもので、その目的は、長期に亘り清潔な状態を維持し得ると共に十分な止水機能を有しかつ意匠的価値の高い目地模様が容易に得られる浴室の壁パネルを提供することにある。
　【０００６】
　【課題を解決するための手段】
　かかる目的を達成すべく、本発明のうち請求項１記載の発明は、浴室の壁面を形成する壁パネルであって、壁パネルを、少なくとも下地材と
、押出成形によって形成され前記下地材の表面側に固着された複数色の板状の樹脂層及び該樹脂層の表面に前記押出成形と同時に熱溶着することによって形成されたフィルム
凹部を前記フィルムから前記樹脂層にかけて形成し
前記樹脂層をＡＢＳ樹脂によって形成し前記フィルムをアクリルによって形成すると共に、前記凹部が後加工
　【０００７】
　このように構成することにより、少なくとも下地材と表面材とが積層された壁パネルの表面材に形成された凹部によって、壁パネルの表面側に目地模様が得られる。凹部は、その底面が表面材の二層目以下の樹脂層内に位置して下地材まで達しない深さに設定されることから、表面材自体が凹部で分割されることがなくなって、凹部部分（目地部分）に十分な止水機能が得られると共に、凹部にシリコン等の塗布が不要になって、長期に亘り清潔で安定した目地模様が容易に得られる。また、
複数色の樹脂層とフィルム
　【０００８】
　【発明の実施の形態】
　以下、本発明の実施の形態の一例を図面に基づいて詳細に説明する。
　図１及び図２は、本発明に係わる浴室の壁パネルの一実施例を示し、図１が該壁パネルを採用した浴室の内部斜視図、図２が図１のＡ部を拡大した断面図である。
　【０００９】
　図１において、浴室１は、防水パン２と、浴室１の壁面としての４枚の壁パネル３（２枚の壁パネル３のみ示す）及び図示しない天井パネルによってユニット化され、防水パン２の所定の壁パネル３側には浴槽４が配置されている。また、防水パン２上には洗い場５が設けられ、この洗い場５のミラー１３が取り付けられる壁パネル３側には洗面器置き用のカウンター６が配置されている。
　【００１０】
　壁パネル３（図示しない他の壁パネル３も同様）は、図２に示すように、下地材７と、この下地材７の表面７ａ側に配設された表面材としての表面化粧板８との積層構造によって形成されている。前記下地材７は、例えば合板、セメント板、鋼板等によって形成され、前記表面化粧板８は、２層の加飾成形品を含む樹脂層１２ａ、１２ｂとフィルム１４の積層構造で後述する如く形成されている。
　【００１１】
　そして、この壁パネル３の所定位置（例えば図１に示す各壁パネル３の幅方向の略中央部分で上下方向に沿った位置）には、直線状の凹部１０が形成されている。この凹部１０は、表面側が幅広で底面側（下地材７側）が幅狭の断面逆台形状に形成されて両側面１０ａ、１０ｂと底面１０ｃを有している。
　【００１２】
　また、凹部１０の深さ、すなわち底面１０ｃの位置は、下地材７まで達しない位置に設定されており、これにより、表面化粧板８は分割されないものの、壁パネル３は凹部１０部分であたかも左右方向に２分割されているような感覚が得られることになる。なお、表面化粧板８に形成される凹部１０は、表面化粧板８の成形時に同時に形成されるが、例えば後加工によって形成することも勿論可能である。そして、凹部１０が形成された表面化粧板８を、下地材７の表面７ａに例えば接着固定することによって壁パネル３が製造される。
　【００１３】
　前記表面化粧板８は、例えば色調の異なる
ＡＢＳ樹脂
アクリルからなる
　【００１４】
　このように、上記実施例の壁パネル３にあっては、積層接着される下地材７と表面化粧板８のうち、表面化粧板８に底面１０ｃが下地材７まで達しない所定深さの凹部１０を形成しているため、この凹部１０によって表面化粧板８（壁パネル３）の所定位置に、目地模様を容易に得ることができる。特に、凹部１０の形状が両側面１０ａ、１０ｂと底面１０ｃを有する断面逆台形状に形成されると共に、表面化粧材８のフィルム１４のバックに、異なる色調の樹脂層１２ａ、１２ｂが存在するため、凹部１０自体に奥行き感が得られる等、立体感のある目地模様が容易に得られることになる。
　【００１５】
　また、壁パネル３に形成される凹部１０が、その底面１０ｃが下地材７まで達せず、表面化粧板８が従来のように分割されないように設定されているため、凹部１０部分（目地部分）に十分な止水機能を確保することができる。すなわち、表面化粧板８の熱膨張率（例えば熱可塑性樹脂の３〜９×１０−５ｍｍ／°Ｃ）と下地材７の熱膨張率（例えば合板や鋼板の約１×１０−６ｍｍ／°Ｃ）は異なるが、上記実施例の場合、凹部１０の底面１０ｃが表面化粧板８内に位置していることから、凹部１０の深さを適宜に設定することによって、該部分の熱膨張率の違いによる目地切れの発生が確実に防止されることになる。
　【００１６】
　さらに、表面化粧板８が凹部１０で分割されないため、従来のようなシリコン５５の塗布が不要となり、シリコン５５の汚れや黴発生が確実に防止されて、壁パネル３の凹部１０部分の見栄えの劣化が無くなると共に、凹部１０内の清掃も簡単に水洗いできる等、壁パネル３に清潔で安定した状態の目地模様を長期に亘り得ることが可能になる。
　【００１７】
　また、例えば表面化粧板８に凹部１０を予め形成して、これを下地材７と積層接着するだけで、目地模様を有する壁パネル３を製造することができるため、格別な設備等を必要とせずに、壁パネル３を容易かつ安価に製造することが可能になる。またさらに、表面化粧板８に凹部１０を形成することによって、所定の目地模様が得られるため、例えば図１の二点鎖線で示すように格子状の目地模様であっても容易に得ることができると共に、表面化粧板８の各樹脂層１２ａ、１２ｂの色を適宜に組み合わせることによって、各種色調の目地模様が容易に得られる等、ユーザの好みに応じた壁パネル３の製造が可能になる。
　【００１８】
　なお、本発明は上記した実施例に限定されるものでもなく、表面材の樹脂層を３層以上積層することも勿論可能であり、樹脂層を３層以上積層する場合は、凹部１０の底面１０ｃを二層目以下の樹脂層内に設けることができる。
　【００１９】
　また、上記各実施例における、壁パネル３の凹部１０の形成位置（すなわち目地模様の形成位置）、下地材７、表面化粧板８の樹脂層１２ａ、１２ｂやフイルム１４の
板厚等
　【００２０】
　【発明の効果】
　以上詳述したように、請求項１または２記載の発明によれば、少なくとも下地材と表面材とが積層されて形成された壁パネルの複数色の樹脂層からなる表面材に、その底面が二層目以下の樹脂層内に位置して下地材まで達せず表面材自体が分割されることがない凹部を形成しているため、凹部にシリコン等の塗布が不要となり、清潔で安定した目地模様を長期に亘り維持することができると共に、目地切れ等がなくなって目地部分に十分な止水機能を容易に得ることができる。また、
複数色の樹脂層とフィルム
【図面の簡単な説明】
　【図１】
　本発明に係わる壁パネルを採用した浴室の一実施例を示す内部斜視図
　【図２】
　同図１のＡ部を拡大した断面図
　【図３】
　従来の壁パネルを示す要部の断面図
　【符号の説明】
　１・・・・・・・・・浴室
　３・・・・・・・・・壁パネル
　４・・・・・・・・・浴槽
　５・・・・・・・・・洗い場
　６・・・・・・・・・カウンター
　７・・・・・・・・・下地材
　７ａ・・・・・・・・表面
　８・・・・・・・・・表面化粧板
　１０・・・・・・・・凹部
　１０ａ、１０ｂ・・・側面
　１０ｃ・・・・・・・底面
　１２ａ、１２ｂ・・・樹脂層
　１４・・・・・・・・フィルム